(57)【要約】  【課題】広告表示効果を保持した上で、低コスト、かつ小さい労力で、しかも容易に複数の売り場や店舗で統一した画像を投写する。  【解決手段】画像データを記憶した画像データ記憶部３０と、画像データ記憶部３０に記憶された画像データに応じて駆動される画像生成部５と、画像生成部５の駆動により得られる画像を投写する投写部６と、電源スイッチ部７と、電源ＯＮに連動して、画像データ記憶部３０から画像データを読み出して画像を再生し、電源ＯＦＦに連動して画像の再生を終了させる画像再生制御部２とを備える。  【選択図】図２
2010122264.tif 000002
【特許請求の範囲】
【請求項１】
画像データを記憶した画像データ記憶部と、
前記画像データに基づいて画像を生成する画像生成部と、
前記画像生成部により生成された前記画像を投写する投写部と、
電源スイッチ部と、
電源ＯＮに連動して、前記画像データ記憶部から前記画像データを読み出して前記画像
を再生し、電源ＯＦＦに連動して前記画像の再生を終了させる画像再生制御部と、
を備えていることを特徴とする投写表示装置。
【請求項２】
画像データを記憶した画像データ記憶媒体と
前記画像データに基づいて画像を生成する画像生成部と、
前記画像生成部により生成された前記画像を投写する投写部と、
前記画像データ記憶媒体を着脱可能に接続した接続部と、
電源スイッチ部と、
電源ＯＮに連動して、前記接続部に接続された前記画像データ記憶媒体から前記画像デ
ータを読み出して画像を再生し、電源ＯＦＦに連動して前記画像の再生を終了させる画像
再生制御部と、
を備えていることを特徴とする投写表示装置。
【請求項３】
前記画像再生制御部は、さらに、画像再生の最終位置を検出し、該最終位置を検出する
と、前記画像の最初から再生させることを特徴とする請求項１、又は２に記載の投写表示
装置。
【発明の詳細な説明】
【技術分野】
【０００１】
本発明は、画像を投写して表示する投写表示装置に関する。
【背景技術】
【０００２】
本発明に係る投写表示装置に関連する先行技術文献情報として、例えば、次の特許文献
１がある。
【特許文献１】特開２００４−１８４７５２号公報
【０００３】
特許文献１では、デパートやスーパーマーケット等の多数の売り場を有する店舗に来店
する顧客に対して、例えば、プロジェクタ(以下、投写表示装置という)により商品の画像
を投写して広告表示を行うことで、該商品の販売促進を図る販売支援システムについて述
べている。この販売支援システムは、投写表示装置がネットワークを介してサーバに接続
されており、該サーバからネットワークを介して商品の画像データを投写表示装置に配信
する構成である。また、複数の投写表示装置を使用し、サーバからネットワークを介して
商品の画像データを複数の投写表示装置に配信して、多数の売り場や店舗で統一した画像
を投写することもできる。
【発明の開示】
【発明が解決しようとする課題】
【０００４】
ところで、最近では、各種製品を購入せずに、一定期間有償で貸し出すレンタルシステ
ムやリースシステムを利用することが多く、前記のような販売支援システムを含む各種シ
ステムもレンタルやリースの対象になっている。
【０００５】
しかしながら、前記販売支援システムは、システムの設定作業、システムの保守管理、
システムの回収等に対して大きな労力や高いコストを要するため、該システムの導入がし
難く、画像を投写する売り場数や店舗数が多ければ多い程、労力やコストが増えることに
なる。特に、小規模な店舗での広告表示や短期間の広告表示を行う場合において、対費用
効果を考慮すると、前記販売支援システムのような大きな労力や高いコストを要するシス
テムの導入は難しかった。
【０００６】
本発明は、このような問題に対処することを課題とするものである。すなわち、広告表
示効果を保持した上で、低コスト、かつ小さい労力で、しかも容易に複数の売り場や店舗
で統一した画像を投写することが本発明の目的である。
【課題を解決するための手段】
【０００７】
前記目的を達成するため、本発明に係る投写表示装置は、次の構成を少なくとも具備す
る。
【０００８】
本発明に係る投写表示装置は、画像データを記憶した画像データ記憶部と、前記画像デ
ータに基づいて画像を生成する画像生成部と、前記画像生成部により生成された前記画像
を投写する投写部と、電源スイッチ部と、電源ＯＮに連動して、前記画像データ記憶部か
ら前記画像データを読み出して前記画像を再生し、電源ＯＦＦに連動して前記画像の再生
を終了させる画像再生制御部と、を備えていることを特徴としている。
【０００９】
本発明に係る投写表示装置によると、投写する画像の画像データがあらかじめ画像デー
タ記憶部に記憶されていて、画像再生制御部が投写表示装置の電源ＯＮに連動して画像デ
ータ記憶部から画像データを読み出して再生し、電源ＯＦＦに連動して画像の再生を終了
させる。画像生成部は、画像データに基づいて画像を生成し、投写部は、画像生成部によ
り生成された画像を投写する。
【００１０】
すなわち、貸し出し時においては、必要数の投写表示装置を売り場や店舗に配布し、画
像を投写する場所に設置するだけで、面倒な設定作業等をすることなく画像の投写が可能
となる。また、返却時においても面倒な作業をすることなく、投写表示装置を回収すれば
よい。また、電源スイッチの電源ＯＮ操作により画像の投写開始し、電源ＯＦＦ操作によ
り画像の投写を停止するようにしているので操作が簡単である。したがって、広告表示効
果を保持した上で、低コスト、かつ小さい労力で、しかも容易に複数の売り場や店舗で統
一した画像を投写することができる。
【００１１】
本発明の画像データ記憶部は、画像データを記憶できるものであればよいが、投写表示
装置を繰り返し使用するということから、画像データの書き換えができるもの、又は異な
る画像データを記憶した画像データ記憶部に交換ができるものが好ましい。
【００１２】
また、画像データを記憶した画像データ記憶媒体と、前記画像データに基づいて画像を
生成する画像生成部と、前記画像生成部により生成された前記画像を投写する投写部と、
前記画像データ記憶媒体を着脱可能に接続した接続部と、電源スイッチ部と、電源ＯＮに
連動して、前記接続部に接続された前記画像データ記憶媒体から前記画像データを読み出
して画像を再生し、電源ＯＦＦに連動して前記画像の再生を終了させる画像再生制御部と
、を備えていることを特徴とする。
【００１３】
本発明に係る投写表示装置によると、投写する画像の画像データを記憶した画像データ
記憶媒体があらかじめ接続されていて、画像再生制御部が投写表示装置の電源ＯＮに連動
して画像データ記憶媒体から画像データを読み出して再生し、電源ＯＦＦに連動して画像
の再生を終了させる。画像生成部は、画像データに基づいて画像を生成し、投写部は、画
像生成部により生成された画像を投写する。
【００１４】
すなわち、必要数の投写表示装置を売り場や店舗に配布し、画像を投写する場所に設置
するだけで、面倒な設定作業等をすることなく画像の投写が可能となる。また、返却時に
おいても面倒な作業をすることなく、投写表示装置を回収すればよい。また、電源スイッ
チの電源ＯＮ操作により画像を投写し、電源ＯＦＦ操作により画像の投写を停止するよう
にしているので操作が簡単である。さらに、画像データ記憶媒体の交換が行えるので、同
じ投写表示装置を繰り返し使用することができる。したがって、広告表示効果を保持した
上で、低コスト、かつ小さい労力で、しかも容易に複数の売り場や店舗で統一した画像を
投写することができる。
【００１５】
本発明の画像データ記憶媒体は、フラッシュメモリ(例えば、メモリカードやＵＳＢメ
モリ)、光ディスク、磁気ディスク等、接続部に着脱可能に接続できるものであればよい
が、投写表示装置の小型化や軽量化、良好な操作性や仕舞性を考慮すると、ドライブを必
要としないフラッシュメモリが好ましい。
【００１６】
また、接続部は、画像データ記憶媒体を着脱可能に接続できるものであればよい。また
、投写表示装置の外側から画像データ記憶媒体を接続できるように設置されていてもよい
し、投写表示装置の内部に設置され、例えば、投写表示装置の筐体の一部を開けたり、筐
体を外したりすることにより、画像データ記憶媒体を接続できるようにしてもよい。
【００１７】
また、前記画像再生制御部は、さらに、画像再生の最終位置を検出し、該最終位置を検
出すると、画像の最初から再生させることを特徴とする。
【００１８】
本発明に係る画像再生制御部によると、電源ＯＮ状態が継続している間は、画像をエン
ドレスに再生する。すなわち、画像再生の終了毎に電源ＯＮの操作をすることなく、必要
な時間、連続して画像再生を行うことができる。
【発明を実施するための最良の形態】
【００１９】
以下、本発明に係る投写表示装置を実施するための最良の形態を図面に基づいて説明す
る。本形態では、投写表示装置をプロジェクタとして例示する。
【００２０】
図1は、本形態のプロジェクタ１の全体構成の概略を示すブロック図である。プロジェ
クタ１は、画像再生制御部２、画像データを記憶した画像データ記憶媒体３、及び画像デ
ータ記憶媒体３を接続した接続部４とからなる画像データ記憶部３０、画像生成部５、投
写部６、電源スイッチ部７を備えている。
【００２１】
図２は、画像再生制御部２の全体構成の概略を示すブロック図である。該画像再生制御
部２は、プロジェクタ１の画像投写の制御を行うものであり、電源検出部２１、画像再生
実行部２４、画像処理部２３、画像データ読み出し部２２、画像再生最終位置検出部２５
を備えている。また、ＣＰＵ、該ＣＰＵが実行する各種プログラムや、各種アプリケーシ
ョンプログラム、及び各種データ等を記憶したＲＯＭ、各種情報及び演算結果等を一時的
に記憶するＲＡＭ等を備えている(いずれも図示せず)。
【００２２】
電源検出部２１は、ＣＰＵが実行する電源検出プログラムにより、電源スイッチ部７の
電源ＯＮ／ＯＦＦを検出するとともに、その検出結果を画像再生実行部２４に送信するも
のである。
【００２３】
画像再生実行部２４は、ＣＰＵが実行する画像再生実行プログラムにより、電源ＯＮ信
号を受信すると、画像処理部２３、画像データ読み出し部２２、画像再生最終位置検出部
２５、画像生成部５、投写部６に対して、画像再生に関する動作をさせるものである。ま
た、電源ＯＦＦを受信すると、画像処理部２３、画像データ読み出し部２２、画像再生最
終位置検出部２５、画像生成部５、投写部６の画像再生に関する動作を停止させるもので
ある。さらに、画像再生最終位置検出部２５から送信された検出結果を受信すると、受信
した検出結果に基づいて、画像データの最初からリピート再生するように、画像処理部２
３、画像データ読み出し部２２、画像再生最終位置検出部２５、画像生成部５、投写部６
に対して、画像再生に関する動作をさせるものである。
【００２４】
画像処理部２３は、画像再生実行部２４の指示により、画像データ読み出し部２２が読
み出した画像データを受信し、受信した画像データに基づいて該画像データを処理し、処
理した画像データを画像生成部５に送信するものである。また、画像再生最終位置検出部
２５により、再生処理されている画像が検出されており、この検出結果が画像再生最終位
置であるときに、画像データをその最初の位置から画像生成部５に送信するものである。
【００２５】
画像データ読み出し部２２は、画像再生実行部２４の指示により、画像データ記憶媒体
３に記憶された画像データを読み出すとともに、読み出した画像データを画像処理部２３
に送信するものである。尚、画像データ読み出し部２２は、画像データを記憶する記憶部
を備えてもよく、この場合、画像再生実行部２４の指示により、記憶した画像データを画
像処理部２３が読み出す(図示せず)。
【００２６】
画像再生最終位置検出部２５は、画像再生実行部２４の指示により、画像処理部２３で
再生処理されている画像の最終位置を検出するとともに、画像の最終位置を検出したとき
にのみ、その検出結果を画像処理部２３に送信するものである。
【００２７】
画像データ記憶媒体３は、例えば、各種メモリカード(例えば、ＳＤ(Secure Digital)
カードメモリ、コンパクトフラッシュ(SanDisk社の登録商標)メモリ、メモリスティック(
株式会社ソニーの登録商標)等)、又はＵＳＢ(Universal Serial Bus)メモリのような小型
・軽量なものであり、接続部４に対して着脱可能なものである。
【００２８】
接続部４は、画像データ記憶媒体３が前記のようなメモリカードやＵＳＢメモリの場合
では、これらに対応するスロットとなる。この接続部４は、プロジェクタ１の外側から画
像データ記憶媒体３を着脱するように設置してもよいし、プロジェクタ１内部に設置し、
プロジェクタ１の筐体(図示せず)を外して画像データ記憶媒体３を着脱するようにしても
よい。前者の場合、画像データ記憶媒体３の交換が容易であるという効果があり、後者の
場合、画像データ記憶媒体３の紛失を防げるという効果がある。
【００２９】
尚、他の画像データ記憶媒体としては、各種光ディスクや各種磁気ディスクが使用可能
であり、このような画像データ記憶媒体を使用する場合には、接続部がディスクドライブ
となる。
【００３０】
画像生成部５は、画像再生実行部２４の指示により、画像処理部２３から送信された画
像データに応じて駆動する投写部駆動回路 (図示せず)を備えている。投写部６は、画像
再生実行部２４の指示により、前記投写部駆動回路の画像データに応じて画像が表示され
る光変調素子(例えば、液晶パネル(図示せず))、光変調素子に表示された画像データをス
クリーン(図示せず)に投写する照明光学系(図示せず)、及び投写光学系(図示せず)を備え
ている。
【００３１】
すなわち、この投写部６は、前記照明光学系により光変調素子に入射した光が、画像デ
ータによって変調されている光変調素子を透過して、前記投写光学系によって前記スクリ
ーンに投写される。
【００３２】
電源スイッチ部７は、プロジェクタ１の電源をＯＮ／ＯＦＦするものであるとともに、
画像投写、及画像投写停止を行うためものでもある。電源スイッチ部７の形態は、特に、
限定するものではなく、例えば、押しボタン式、タッチパネル式等、どのような形態でも
よい。
【００３３】
すなわち、本実施形態の画像再生制御部２は、プロジェクタ１を起動する電源スイッチ
部７の電源ＯＮ操作を、画像投写 (画像再生)を行わせる再生操作としても機能するよう
に制御し、電源ＯＦＦ操作を、画像投写停止 (画像再生停止画像投写停止)を行わせる停
止操作としても機能するように制御している。また、電源ＯＮ状態が継続している間は、
画像投写がエンドレスでリピートするように制御している。
【００３４】
図３は、本形態のプロジェクタ１が画像投写を実行するプログラムのフローチャートで
ある。このフローチャートは、プロジェクタ１の電源スイッチ部７を電源ＯＮする操作(
指示)をしたときに起動するプログラムである(ステップＳ１)。
【００３５】
電顕スイッチ部７が電源ＯＮされ、該電源ＯＮが電源検出部２１により検出されると、
その電源ＯＮ信号を画像再生実行部２４に送信する(ステップＳ２)。
【００３６】
電源ＯＮ信号を受信した画像再生実行部２４の指示により、画像データ読み出し部２２
が画像データ記憶媒体３に記憶された画像データを読み出し、読み出した画像データを画
像処理部２３に送信する(ステップＳ３)。画像処理部２３では、受信した画像データに基
づいて該画像データを処理し、処理した画像データを画像生成部５に送信する(ステップ
Ｓ４)。
【００３７】
画像再生実行部２４が電源ＯＮを受信すると、画像処理部２３から受信した画像データ
に応じて画像生成部５が駆動され(ステップＳ５)、該画像生成部５の駆動により得られる
画像を投写部５が投写する(ステップＳ６)。
【００３８】
画像投写中において、画像再生最終位置検出部２５が画像の最終位置を検出するとリピ
ート再生が行われる。
【００３９】
このリピート再生は、画像再生最終位置検出部２５が画像の最終位置を検出すると、画
像再生実行部２４の指示により、該検出結果を画像処理部２３に送信する(ステップＳ７)
。次いで、この検出結果を受信した画像再生実行部２４の指示により、画像処理部２３が
画像データをその最初から画像生成部５に送信し、同じく画像再生実行部２４の指示によ
り、該画像生成部５が駆動されるとともに、投写部５が画像の最初から画像投写を行う(
ステップＳ８)。このリピート再生は、画像再生実行部２４が電源ＯＦＦを受信する(電源
スイッチ部７を電源ＯＦＦ操作する)まで繰り返し行われる。そして、画像再生実行部２
４が電源ＯＦＦを受信すると(ステップＳ９)、画像生成部５の駆動、及び投写部５の画像
投写が停止する(ステップＳ１０)。
【００４０】
本形態のプログラムによれば、電源スイッチ部７の電源ＯＮ操作により画像投写を行う
制御、電源ＯＮ状態の継続により画像投写をリピートする制御、電源ＯＦＦ操作により画
像投写を停止する制御を実行することができる。
【００４１】
本発明は、例示した実施の形態に限定するものでは無く、特許請求の範囲の各項に記載
された技術的思想の範囲において、各種形態による実施が可能である。
【００４２】
例えば、前記実施の形態の画像データ記憶部は、画像データ記憶媒体と、該画像データ
記憶媒体を着脱可能に接続する接続部とからなる構成であるが、本発明では、例示した構
成の画像データ記憶部に限られず、プロジェクタに内蔵され、画像データの書き換えがで
きる画像データ記憶部(例えば、ハードディスクドライブ)としてもよい。
【図面の簡単な説明】
【００４３】
【図１】本発明に係る投写表示装置の全体構成の概略を示すブロック図。
【図２】画像再生制御部の全体構成の概略を示すブロック図。
【図３】投写表示装置が画像投写を実行するプログラムのフローチャート
【符号の説明】
【００４４】
１：プロジェクタ(投写表示装置)    ２：画像再生制御部    ３：画像データ記憶媒体
４：接続部    ５：画像生成部    ６：投写部    ７：電源スイッチ部
２５：画像再生最終位置検出部    ３０：画像データ記憶部
【図１】
2010122264.tif 000003
【図２】
2010122264.tif 000004
【図３】
2010122264.tif 000005